(57)【要約】【課題】  負荷の力率の値に関わらず、現在の負荷状態を詳細に把握でき、常に現況を正確に把握できる電子式電力量計を提供する。【解決手段】  電子式電力量計１では、潮流方向判別部１２によって各相の有効電力Ｗおよび無効電力Ｖarについての潮流方向が判別され、負荷状態表示スイッチ４がオンのとき、その潮流方向判別結果が、表示制御部１４の表示制御によってＬＣＤ１３に各相毎に表示される。表示制御部１４は、潮流方向判別部１２による各相の有効電力Ｗおよび無効電力Ｖarについての潮流方向判別結果を、ＬＣＤ１３に各相毎に表示させた「＋」と「−」の記号対を使って表し、潮流方向判別結果が順潮流である場合には「＋」記号を強調表示させ、逆潮流である場合には「−」記号を強調表示させる。この負荷状態表示は、負荷の力率の値に関わらず、常に表示される。【選択図】  図４
2019056608.tif 000002
【特許請求の範囲】
【請求項１】
各相の有効電力および無効電力を演算する電力演算部と、各相の有効電力および無効電力についての潮流方向を判別する潮流方向判別部と、この潮流方向判別部による各相の有効電力および無効電力についての潮流方向判別結果を各相毎に表示する負荷状態表示部と、前記潮流方向判別部による各相の有効電力および無効電力についての潮流方向判別結果に基づいて前記負荷状態表示部の表示を制御する表示制御部とを備えることを特徴とする電子式電力量計。
【請求項２】
前記表示制御部は、前記潮流方向判別部による各相の有効電力および無効電力についての潮流方向判別結果を、前記負荷状態表示部に各相毎に表示させた「＋」と「−」の記号対を使って表し、潮流方向判別結果が順潮流である場合には前記「＋」記号を強調表示させ、逆潮流である場合には前記「−」記号を強調表示させることを特徴とする請求項１に記載の電子式電力量計。
【請求項３】
前記表示制御部は、前記電力演算部によって有効電力および無効電力が演算されない無負荷の相を有効電力および無効電力について「−」の単独記号で前記負荷状態表示部に表すことを特徴とする請求項１または請求項２に記載の電子式電力量計。
【請求項４】
電源端子に印加される電圧の大きさを識別する印加電圧識別部を備え、
前記表示制御部は、前記印加電圧識別部で識別される電圧が定格電圧の所定範囲に収まっていない場合に、各相の負荷状態表示態様を時間の経過によって変化させることを特徴とする請求項１から請求項３のいずれか１項に記載の電子式電力量計。
【請求項５】
欠相を検出する欠相検出部を備え、
前記表示制御部は、前記欠相検出部によって欠相が検出される相だけの負荷状態表示態様を時間の経過によって変化させることを特徴とする請求項１から請求項４のいずれか１項に記載の電子式電力量計。
【請求項６】
前記潮流方向判別部による各相の有効電力および無効電力についての潮流方向判別結果の前記負荷状態表示部への表示および非表示を選択する表示選択スイッチを備えることを特徴とする請求項１から請求項５のいずれか１項に記載の電子式電力量計。
【発明の詳細な説明】
【技術分野】
【０００１】
本発明は、負荷の状態を表示する機能を備える電子式電力量計に関するものである。
【背景技術】
【０００２】
従来、この種の電子式電力量計としては、例えば、特許文献１に開示されたものがある。この電子式電力量計では、計測を行っている全ての相の電力の総和である全相電力が負荷側から電源側に流れる逆方向のとき、状態表示部に逆電流マークを点灯する。さらに、逆方向の全相電力の大きさに応じたスピードで逆電流マークを点滅させて、負荷の状態を表示する。また、各相電力の方向を判別するとともに、１側電力が逆方向の場合には各相逆電流表示部の「１」を、３側電力が逆方向の場合には「３」を点灯させ、結線ミスが起きている相を知らせる。
【０００３】
しかし、特許文献１に開示された上記の電子式電力量計では、実使用状態において負荷の力率が極端に低い場合、正常結線であるにも関わらず、動作点灯とともに「１」もしくは「３」が点灯してしまい、誤結線であるかのような印象を使用者に与える。このため、特許文献２に開示された電子式電力量計では、各相電力の力率の値を監視する力率状態監視部を備え、この力率状態監視部で監視している力率の値が０〜０．５である場合には、各相逆電流表示部の「１」および「３」を消灯制御する。そのため、力率の値が０〜０．５の場合であっても、各相逆電流表示部が消灯して誤結線でないことが示される。
【先行技術文献】
【特許文献】
【０００４】
【特許文献１】特許第４９８６９３１号公報
【特許文献２】特許第５３２２９８１号公報
【発明の概要】
【発明が解決しようとする課題】
【０００５】
しかしながら、特許文献２に開示された上記の電子式電力量計では、力率の値が０〜０．５の場合、各相逆電流表示部が消灯してしまうので、負荷の詳細な状態を把握することができない。このため、結線が誤結線でないことが分かっても、現在、どのような負荷が電子式電力量計に接続されているのか、現況を正確に把握することができず、対処に窮することが想定される。
【課題を解決するための手段】
【０００６】
本発明はこのような課題を解決するためになされたもので、各相の有効電力および無効電力を演算する電力演算部と、各相の有効電力および無効電力についての潮流方向を判別する潮流方向判別部と、この潮流方向判別部による各相の有効電力および無効電力についての潮流方向判別結果を各相毎に表示する負荷状態表示部と、潮流方向判別部による各相の有効電力および無効電力についての潮流方向判別結果に基づいて負荷状態表示部の表示を制御する表示制御部とを備えて、電子式電力量計を構成した。
【０００７】
本構成によれば、潮流方向判別部によって各相の有効電力および無効電力についての潮流方向が判別され、その潮流方向判別結果が、表示制御部の表示制御によって負荷状態表示部に各相毎に表示される。この負荷状態表示は、負荷の力率の値に関わらず、常に表示される。このため、各相毎に表示される各相の有効電力および無効電力についての潮流方向に基づき、負荷の力率の値に関わらず、現在の負荷状態を詳細に把握でき、常に現況を正確に把握して、事の対処に迅速に当たることができるようになる。
【０００８】
また、本発明は、表示制御部が、潮流方向判別部による各相の有効電力および無効電力についての潮流方向判別結果を、負荷状態表示部に各相毎に表示させた「＋」と「−」の記号対を使って表し、潮流方向判別結果が順潮流である場合には「＋」記号を強調表示させ、逆潮流である場合には「−」記号を強調表示させることを特徴とする。
【０００９】
本構成によれば、負荷状態表示部に各相毎に表示される「＋」と「−」の記号対を視認し、強調表示されるどちらかの記号を確認することで、各相毎の有効電力および無効電力についての潮流方向を一見して認識することができる。このため、より迅速に事の対処に当たることが可能となる。
【００１０】
また、本発明は、表示制御部が、電力演算部によって有効電力および無効電力が演算されない無負荷の相を有効電力および無効電力について「−」の単独記号で負荷状態表示部に表すことを特徴とする。
【００１１】
本構成によれば、負荷状態表示部に「−」の単独記号が有効電力および無効電力について表示される相は、無負荷であることが知らされる。このため、結線の状態の判定が行えないことが、知らされる。
【００１２】
また、本発明は、電源端子に印加される電圧の大きさを識別する印加電圧識別部を備え、表示制御部が、印加電圧識別部で識別される電圧が定格電圧の所定範囲に収まっていない場合に、各相の負荷状態表示態様を時間の経過によって変化させることを特徴とする。
【００１３】
本構成によれば、各相に表示される負荷状態表示態様が時間の経過によって変化することで、電子式電力量計の定格電圧を間違えていることが知らされる。このため、配線の電圧に合った定格電圧の電子式電力量計に仕様変更する対処が促される。
【００１４】
また、本発明は、欠相を検出する欠相検出部を備え、表示制御部が、欠相検出部によって欠相が検出される相だけの負荷状態表示態様を時間の経過によって変化させることを特徴とする。
【００１５】
本構成によれば、特定の相だけの負荷状態表示態様が時間の経過によって変化することで、その相が欠相していることが知らされる。このため、欠相と表示される相について、配線接続を確認する対処が促される。
【００１６】
また、本発明は、潮流方向判別部による各相の有効電力および無効電力についての潮流方向判別結果の負荷状態表示部への表示および非表示を選択する表示選択スイッチを備えることを特徴とする。
【００１７】
本構成によれば、表示選択スイッチを操作することで、潮流方向判別結果の負荷状態表示部への表示および非表示を選択することができる。このため、負荷状態表示部への負荷状態表示を望まない場合には、表示選択スイッチを操作して負荷状態表示を非表示にし、不要な情報の表示を止めることで、負荷状態表示に煩わされなくなる。
【発明の効果】
【００１８】
本発明によれば、各相毎に表示される各相の有効電力および無効電力についての潮流方向に基づき、負荷の力率の値に関わらず、現在の負荷状態を詳細に把握でき、常に現況を正確に把握できる電子式電力量計が提供される。
【図面の簡単な説明】
【００１９】
【図１】本発明の一実施の形態による電子式電力量計の正面図である。
【図２】（ａ）は、一実施の形態による電子式電力量計が普通計器として用いられる場合における有効電力Ｗの表示例、（ｂ）は、無効計器として用いられる場合における無効電力Ｖarの表示例、（ｃ）は、複合計器として用いられる場合における有効電力Ｗおよび無効電力Ｖarの表示例を示す図である。
【図３】一実施の形態による電子式電力量計に構成される電子回路の概略構成を示すブロック図である。
【図４】（ａ）は、一実施の形態による電子式電力量計が三相４線式である場合における潮流方向判別結果の表示態様、（ｂ）は、三相３線式である場合における潮流方向判別結果の表示態様、（ｃ）は、三相３線式である場合において相３が無負荷であることを表す表示態様を示す図である。
【図５】（ａ）は、負荷状態表示スイッチからの操作信号がオン信号の場合に、印加電圧識別部で識別される電圧が定格電圧の所定範囲に収まっていない表示態様、（ｂ）は、負荷状態表示スイッチからの操作信号がオフ信号の場合に、印加電圧識別部で識別される電圧が定格電圧の所定範囲に収まっていない表示態様を示す図である。
【図６】（ａ）は、負荷状態表示スイッチからの操作信号がオン信号の場合に、相３に欠相が検出される表示態様、（ｂ）は、負荷状態表示スイッチからの操作信号がオフ信号の場合に、相３に欠相が検出される表示態様を示す図である。
【図７】（ａ）は、単相３線式の電子式電力量計に純抵抗だけが接続されるときにおける電圧Ｖ1，Ｖ3および電流Ｉ1，Ｉ3のベクトル図、（ｂ）は、コンデンサだけが接続されるときにおけるベクトル図、（ｃ）は、三相３線式の電子式電力量計に純抵抗だけが接続されるときにおける線間電圧Ｖ12，Ｖ32および相電流Ｉ1，Ｉ3のベクトル図、（ｄ）は、コンデンサだけが接続されるときにおけるベクトル図である。
【発明を実施するための形態】
【００２０】
次に、本発明による電子式電力量計を実施するための形態について説明する。
【００２１】
図１は、本発明の一実施の形態による電子式電力量計１の正面図である。
【００２２】
電子式電力量計１は、直方体状をした筐体に電子回路基板等の部品が内蔵されて構成されている。電子式電力量計１は、その背面に設けられた電源端子に電源線、負荷端子に負荷機器が接続される。そして、負荷端子に接続される負荷機器で消費される電力を計量して、計量結果を前面の表示部２に表示すると共に、消費電力量に比例した計量パルスを外部機器へ送出する。
【００２３】
図２（ａ）は、電子式電力量計１が普通計器として用いられる場合において、負荷機器で消費される有効電力量Ｗｈ[ｋＷｈ]の表示部２への表示例を示す。同図（ｂ）は、電子式電力量計１が無効計器として用いられる場合において、無効電力量Ｖarh[ｋvarｈ]の表示部２への表示例を示す。これら有効電力量Ｗｈ[ｋＷｈ]および無効電力量Ｖarh[ｋvarｈ]の計量動作時には、「動作●」の表示が電力量の大きさに比例した速度で点滅する。同図（ｃ）は、電子式電力量計１が複合計器として用いられる場合において、同図の左方に示す有効電力量Ｗｈ[ｋＷｈ]と同図の右方に示す無効電力量Ｖarh[ｋvarｈ]とが、時間の経過に従って交互にサイクリックに表示される例を示す。このサイクリック表示時には、「動作●w●var」の表示が有効電力量および無効電力量のそれぞれの大きさに比例した速度で点滅する。なお、表示部２の下方には、２種類の発信パルス出力についてのパルス定数が示されている。
【００２４】
図３は、三相３線式の電子式電力量計１の内部の電子回路基板に構成される電子回路の概略構成を示すブロック図である。
【００２５】
電子回路基板には、各相の有効電力Ｗおよび無効電力Ｖarを演算する電力演算部１１が構成されている。相形式が三相３線式の場合には、線間電圧Ｖ12，Ｖ32および相電流Ｉ1，Ｉ3が電力演算部１１に入力され、二電力計法により、負荷機器の消費電力が演算される。つまり、線間電圧Ｖ12と相電流Ｉ1との乗算値（Ｖ12・Ｉ1）に、線間電圧Ｖ12および相電流Ｉ1間の位相（φ＋３０°）の余弦であるcos（φ＋３０°）を掛け合わすことで、相１についての有効電力Ｗ1が次の（１）式によって演算される。
Ｗ1＝Ｖ12・Ｉ1・cos（φ＋３０°）  …（１）
【００２６】
また、線間電圧Ｖ12と相電流Ｉ1との乗算値（Ｖ12・Ｉ1）に、線間電圧Ｖ12および相電流Ｉ1間の位相（φ＋３０°）の正弦であるsin（φ＋３０°）を掛け合わすことで、相１についての無効電力Ｖar1が次の（２）式によって演算される。
Ｖar1＝Ｖ12・Ｉ1・sin（φ＋３０°）  …（２）
【００２７】
相３についても、線間電圧Ｖ32と相電流Ｉ3の値、並びに線間電圧Ｖ32および相電流Ｉ3間の位相（φ−３０°）から、同様にして、有効電力Ｗ3が次の（３）式、無効電力Ｖar3が次の（４）式によって演算される。
Ｗ3＝Ｖ32・Ｉ3・cos（φ−３０°）  …（３）
Ｖar3＝Ｖ32・Ｉ3・sin（φ−３０°）  …（４）
【００２８】
潮流方向判別部１２は、各相の有効電力Ｗ1，Ｗ3および無効電力Ｖar1，Ｖar3についての潮流方向を判別する。つまり、相１についての線間電圧Ｖ12および相電流Ｉ1の各方向から、有効電力Ｗ1および無効電力Ｖar1の潮流方向を判別する。また、相３についての線間電圧Ｖ32および相電流Ｉ3の各方向から、有効電力Ｗ3および無効電力Ｖar3の潮流方向を判別する。潮流方向が電源端子から負荷端子へ向かう方向である場合には順潮流、負荷端子から電源端子へ向かう方向である場合には逆潮流と判別する。
【００２９】
電子式電力量計１の前面に設けられる表示部２はＬＣＤ（液晶表示装置）１３から構成される。このＬＣＤ１３には、潮流方向判別部１２による各相の有効電力Ｗ1，Ｗ3および無効電力Ｖar1，Ｖar3についての潮流方向判別結果が各相毎に表示される。ＬＣＤ１３は、電子式電力量計１の負荷端子に接続される負荷機器の負荷状態を表示する負荷状態表示部を構成する。表示制御部１４は、電力演算部１１によって演算される各相の有効電力Ｗ1，Ｗ3および無効電力Ｖar1，Ｖar3の各電力量をＬＣＤ１３に表示させると共に、潮流方向判別部１２による各相の有効電力Ｗ1，Ｗ3および無効電力Ｖar1，Ｖar3についての潮流方向判別結果に基づいて、ＬＣＤ１３の表示を制御する。
【００３０】
本実施形態では、図１に示すように、電子式電力量計１の前面上部右方に、計量パルスの設定切替スイッチ３ａ，３ｂに並んで、負荷状態表示スイッチ４が設けられている。これら設定切替スイッチ３ａ，３ｂおよび負荷状態表示スイッチ４は、これらが操作されない通常時には、図示しない設定部カバーによって覆われて隠される。負荷状態表示スイッチ４は、図３のブロック図に示すように表示制御部１４に接続されている。この負荷状態表示スイッチ４は、潮流方向判別部１２による各相の有効電力Ｗ1，Ｗ3および無効電力Ｖar1，Ｖar3についての潮流方向判別結果の、ＬＣＤ１３への表示および非表示を選択する表示選択スイッチを構成する。表示制御部１４は、負荷状態表示スイッチ４からの操作信号に基づき、その操作に応じて、潮流方向判別結果をＬＣＤ１３へ表示させ、または、非表示にする。
【００３１】
図４（ａ）は、電子式電力量計１が三相４線式で、負荷状態表示スイッチ４からの操作信号がオン信号である場合における、潮流方向判別結果のＬＣＤ１３への表示態様を示す。表示制御部１４は、潮流方向判別部１２による各相の有効電力Ｗおよび無効電力Ｖarについての潮流方向判別結果を、ＬＣＤ１３に各相毎に表示させた「＋」と「−」の記号対を使って表し、潮流方向判別結果が順潮流である場合には「＋」記号を強調表示させ、逆潮流である場合には「−」記号を強調表示させる。本実施形態では、この強調表示は、「＋」または「−」の記号の背景を黒色にすることで、行われる。同図では、相１，相２および相３の全ての相の有効電力Ｗおよび無効電力Ｖarについて、「＋」記号が強調表示されている。
【００３２】
同図（ｂ）は、電子式電力量計１が三相３線式で、負荷状態表示スイッチ４からの操作信号がオン信号である場合における、潮流方向判別結果のＬＣＤ１３への表示態様を示す。三相３線式の場合、表示制御部１４は相２の表示を消す。単相２線式の場合には同様に相３の表示も消す。同図では、相１の有効電力Ｗおよび無効電力Ｖarについて「＋」記号が強調表示されているが、相３の有効電力Ｗについては「＋」記号が強調表示、相３の無効電力Ｖarについては「−」記号が強調表示されている。したがって、この潮流方向の表示態様から、相３の無効電力Ｖarが逆潮流になっていることを知ることができる
【００３３】
同図（ｃ）は、電子式電力量計１が同様に三相３線式で、負荷状態表示スイッチ４からの操作信号がオン信号である場合において、相３が無負荷であることを表すＬＣＤ１３の表示態様を示す。表示制御部１４は、電力演算部１１によって有効電力Ｗおよび無効電力Ｖarが演算されない無負荷の相３を、図示するように「−」の単独記号でＬＣＤ１３に表す。
【００３４】
また、表示制御部１４には、図３のブロック図に示すように印加電圧識別部１５が接続されている。印加電圧識別部１５は電源端子に印加される電圧の大きさを識別し、その識別結果を表示制御部１４へ出力する。表示制御部１４は、印加電圧識別部１５で識別される電圧が定格電圧の所定範囲、例えば、定格電圧の±３０％の範囲に収まっていない場合には、各相の負荷状態表示態様を時間の経過によって変化させる。
【００３５】
例えば、電子式電力量計１が三相３線式、負荷状態表示スイッチ４からの操作信号がオン信号で、印加電圧識別部１５で識別される電圧が定格電圧の所定範囲に収まっていない場合には、表示制御部１４は、図５（ａ）に示すように、各相の負荷状態表示態様を、同図の左方に示す表示態様と右方に示す表示態様とに時間の経過に従って交互にサイクリック表示する。同図の左方に示す表示態様では、相１および相３の負荷状態が「＋」と「−」の記号対で表示される。右方に示す表示態様では、相１および相３の負荷状態が「＋」または「−」の強調表示された一方の記号だけで表示され、さらに、「相１」および「相３」の表示が消える。
【００３６】
また、負荷状態表示スイッチ４からの操作信号がオフ信号に切り替えられると、表示制御部１４は、同図（ｂ）に示すように、各相の負荷状態表示態様を、同図の左方に示す表示態様と右方に示す表示態様とに時間の経過に従って交互にサイクリック表示する。同図の左方に示す表示態様では、相１および相３の有効電力Ｗおよび無効電力Ｖarに「−」の記号が表示され、右方に示す表示態様では、相１および相３の負荷状態表示が全て消える。
【００３７】
また、表示制御部１４には、図３のブロック図に示すように欠相検出部１６が接続されている。欠相検出部１６は各相における欠相を検出する。表示制御部１４は、欠相検出部１６によって欠相が検出される相だけの負荷状態表示態様を時間の経過によって変化させる。
【００３８】
例えば、電子式電力量計１が三相３線式、負荷状態表示スイッチ４からの操作信号がオン信号で、相３に欠相が検出される場合には、表示制御部１４は、図６（ａ）に示すように、欠相が検出される相３だけの負荷状態表示態様を、同図の左方に示す表示態様と右方に示す表示態様とに時間の経過に従って交互にサイクリック表示する。同図の左方に示す表示態様では、相３の有効電力Ｗおよび無効電力Ｖarについて「−」の記号が表示され、右方に示す表示態様では、相３についての負荷状態表示が全て消える。
【００３９】
また、負荷状態表示スイッチ４からの操作信号がオフ信号に切り替えられると、表示制御部１４は、同図（ｂ）に示すように、相３の負荷状態表示態様を、同図の左方に示す表示態様と右方に示す表示態様とに時間の経過に従って交互にサイクリック表示する。同図の左方に示す表示態様では、相３にのみ「−」の記号が有効電力Ｗおよび無効電力Ｖarについて表示され、右方に示す表示態様では、相３の負荷状態表示が全て消える。
【００４０】
このような本実施形態による電子式電力量計１によれば、潮流方向判別部１２によって各相の有効電力Ｗおよび無効電力Ｖarについての潮流方向が判別され、その潮流方向判別結果が、表示制御部１４の表示制御によってＬＣＤ１３に各相毎に表示される。この負荷状態表示は、負荷の力率の値に関わらず、常に表示される。このため、各相毎に表示される各相の有効電力Ｗおよび無効電力Ｖarについての潮流方向に基づき、負荷の力率の値に関わらず、現在の負荷状態を詳細に把握でき、電子式電力量計１の設置工事者等は、常に現況を正確に把握して、事の対処に迅速に当たることができるようになる。
【００４１】
例えば、単相３線式の電子式電力量計１に純抵抗だけが負荷として接続されて力率が１のときには、電圧Ｖ1，Ｖ3および電流Ｉ1，Ｉ3のベクトル図は、図７（ａ）に示すように、電圧Ｖ1および電流Ｉ1、並びに、電圧Ｖ3および電流Ｉ3はそれぞれ同じ向きを向く。この場合、相１および相３におけるそれぞれの電圧電流間の位相は０°で、cos０°が正の値１、sin０°が０になる。したがって、相１および相３の有効電力Ｗ1およびＷ3はそれぞれ正の値、無効電力Ｖar1およびＶar3はそれぞれ０になる。このため、ＬＣＤ１３に表される負荷状態表示は、相１および相３の有効電力Ｗ1およびＷ3については順潮流、無効電力Ｖar1およびＶar3については無負荷になる。
【００４２】
また、単相３線式の電子式電力量計１にコンデンサだけが負荷として接続されると、電圧Ｖ1，Ｖ3および電流Ｉ1，Ｉ3のベクトル図は、同図（ｂ）に示すように、電流Ｉ1およびＩ3が電圧Ｖ1およびＶ3に対してそれぞれ９０°進む状態になる。この場合、相１および相３におけるそれぞれの電圧電流間の位相は−９０°で、cos（−９０°）が０、sin（−９０°）が負の値−１になる。したがって、相１および相３の有効電力Ｗ1およびＷ3は０、無効電力Ｖar1およびＶar3はそれぞれ負の値になる。このため、ＬＣＤ１３に表される負荷状態表示は、相１および相３の有効電力Ｗ1およびＷ3については無負荷、無効電力Ｖar1およびＶar3については逆潮流になる。
【００４３】
また、三相３線式の電子式電力量計１に純抵抗だけが負荷として接続されて力率が１のときには、線間電圧Ｖ12，Ｖ32および相電流Ｉ1，Ｉ3のベクトル図は、同図（ｃ）に示すように、線間電圧Ｖ12，Ｖ32間に６０°の位相が生じ、相電流Ｉ1は線間電圧Ｖ12に対して３０°遅れ、相電流Ｉ3は線間電圧Ｖ32に対して３０°進む状態になる。この場合、相１および相３におけるそれぞれの電圧電流間の位相は、相１が＋３０°で相３が−３０°となる。cos（＋３０°）、cos（−３０°）、およびsin（＋３０°）は正の値になり、sin（−３０°）は負の値となる。したがって、相１および相３の有効電力Ｗ1およびＷ3、並びに、無効電力Ｖar1およびＶar3は、有効電力Ｗ1，Ｗ3および無効電力Ｖar1はそれぞれ正の値になり、無効電力Ｖar3は負の値となる。このため、ＬＣＤ１３に表される負荷状態表示は、相１および相３の有効電力Ｗ1およびＷ3、並びに、無効電力Ｖar1は順潮流になり、無効電力Ｖar3は逆潮流になる。
【００４４】
しかし、例えば、誘導性負荷であるモータと進相コンデンサとを備えるエレベーターなどが負荷機器として接続され、電子式電力量計１に進相コンデンサが負荷接続されている状態で、誘導性負荷が動いていない場合には、線間電圧Ｖ12，Ｖ32および相電流Ｉ1，Ｉ3のベクトル図は、同図（ｄ）に示すようになる。つまり、相電流Ｉ1は線間電圧Ｖ12に対して６０°進み、相電流Ｉ3は線間電圧Ｖ32に対して１２０°進む。この場合、相１における電圧電流間の位相は−６０°で、cos（−６０°）が正の値、sin（−６０°）が負の値になる。しかし、相３における電圧電流間の位相は−１２０°で、cos（−１２０°）およびsin（−１２０°）が共に負の値になる。したがって、相１の有効電力Ｗ1は正の値になるが、相１の無効電力Ｖar1、並びに、相３の有効電力Ｗ3、相３の無効電力Ｖar3は負の値になる。このため、ＬＣＤ１３に表される負荷状態表示は、相１の有効電力Ｗ1が順潮流になるが、相１の無効電力Ｖar1、相３の有効電力Ｗ3および無効電力Ｖar3は逆潮流になる。
【００４５】
つまり、相３については、電圧Ｖ32と電流Ｉ3との位相差が９０°を超え、有効電力Ｗ3が逆潮流状態となる。すなわち、三相３線式の場合には、力率が０．５（位相差が６０°）より悪くなると、誤結線が無くても逆潮流が検出される。この際、特許文献２に開示された従来の電子式電力量計では、力率が０〜０．５の範囲に入り、各相逆電流表示部の「１」および「３」が消灯制御されるため、詳細な負荷状態が分からない。しかし、本実施形態の電子式電力量計１では従来の電子式電力量計とは異なり、ＬＣＤ１３における負荷状態表示が、上記のように、相１についての有効電力Ｗ1が順潮流、無効電力Ｖar1が逆潮流、相３についての有効電力Ｗ3、無効電力Ｖar3が共に逆潮流を示す。このため、電子式電力量計１の設置工事者等は、ＬＣＤ１３にこの負荷状態を視認することで、力率が極端に低い場合においても、現在、電子式電力量計１にコンデンサ負荷が接続されている負荷状態を認識でき、結線に誤接続は無く、何ら対処を要しない状態であることを、迅速に把握することが可能となる。
【００４６】
ここでは負荷がコンデンサのみで、相１側の無効電力および相３側に逆潮流が検出される場合について説明しているが、負荷が誘導性コイルのみのときには相１側の有効電力にだけ逆潮流が検出される。この場合においても、本実施形態の電子式電力量計１ではＬＣＤ１３に表示される負荷状態を視認することで、現在の負荷状態を詳細に知ることができる。また、このように誤結線が無くても逆潮流が検出される場合に、単に「逆潮流」だけを表示すると、誤解を招くおそれがあるが、本実施形態の電子式電力量計１のように各相の負荷状態を詳細に表示することで、このような誤解を招くことはない。
【００４７】
また、例えば、三相３線式の電子式電力量計１の相１の電流線を逆接続した場合、相１についての電圧Ｖ12と電流Ｉ1との位相差が９０°を超えて逆潮流状態となる。この際、本実施形態の電子式電力量計１では、ＬＣＤ１３における相１についての有効電力Ｗ1、無効電力Ｖar1が共に逆潮流、相３についての有効電力Ｗ3が順潮流、無効電力Ｖar3が逆潮流を示す。このため、電子式電力量計１の設置工事者等は、ＬＣＤ１３にこの負荷状態を認識することで、現在、相１の電流線が逆接続され、相１の電流線の接続をし直す必要がある状態であることを、迅速に把握することが可能となる。
【００４８】
また、本実施形態による電子式電力量計１によれば、ＬＣＤ１３に図４（ａ），（ｂ）に示すように各相毎に表示される「＋」と「−」の記号対を視認し、強調表示されるどちらかの記号を確認することで、各相毎の潮流方向を一見して認識することができる。このため、より迅速に事の対処に当たることが可能となる。
【００４９】
また、本実施形態による電子式電力量計１によれば、ＬＣＤ１３に図４（ｃ）に示すように「−」の単独記号が有効電力Ｗおよび無効電力Ｖarについて表示される相は、無負荷であることが知らされる。このため、結線の状態の判定が行えないことが、知らされる。
【００５０】
また、本実施形態による電子式電力量計１によれば、図５（ａ）に示すように、各相に表示される「＋」と「−」の記号対による負荷状態表示態様が時間の経過によって変化することで、電子式電力量計１の定格電圧を間違えていることが知らされる。このため、配線の電圧に合った定格電圧の電子式電力量計１に仕様変更する対処が促される。
【００５１】
また、本実施形態による電子式電力量計１によれば、図６（ａ）に示すように、特定の相だけの負荷状態表示態様が時間の経過によって変化することで、その相が欠相していることが知らされる。このため、欠相と表示される相について、配線接続を確認する対処が促される。
【００５２】
また、本実施形態による電子式電力量計１によれば、負荷状態表示スイッチ４を操作することで、潮流方向判別結果のＬＣＤ１３への表示および非表示を選択することができる。このため、ＬＣＤ１３への負荷状態表示を望まない場合には、負荷状態表示スイッチ４をオフ操作して負荷状態表示を非表示にし、不要な情報の表示を止めることで、負荷状態表示に煩わされなくなる。
【符号の説明】
【００５３】
１…電子式電力量計
２…表示部
４…負荷状態表示スイッチ（表示選択スイッチ）
１１…電力演算部
１２…潮流方向判別部
１３…ＬＣＤ（液晶表示装置；負荷状態表示部）
１４…表示制御部
【図１】
2019056608.tif 000003
【図２】
2019056608.tif 000004
【図３】
2019056608.tif 000005
【図４】
2019056608.tif 000006
【図５】
2019056608.tif 000007
【図６】
2019056608.tif 000008
【図７】
2019056608.tif 000009